(57)【要約】【課題】インターネットを用いての商品販売において、商品サイトの普及率、商品の販売率を非常に向上させる方法を得る。【解決手段】商品提供サイト１Ａ、１Ｂ、１Ｃ、…と、紹介サイト２と携帯電話４Ａ、Ｂ、Ｃ…をネットワーク３（携帯電話網、インターネット）で接続し、携帯電話４Ａ、Ｂ、Ｃ…を用いて紹介サイト２の会員となる。そして、自分が希望とする自分宛のプレゼント商品を紹介サイト２に登録し、紹介サイト２のＵＲＬを携帯電話を用いて知らせる毎に、紹介サイトが紹介人数を更新し、この紹介人数によってプレゼント商品を紹介した会員に渡す。紹介サイト２は、端末側から紹介でアクセスがあるときは、当該サイトのＵＲＬコードに、その端末側のユーザＩＤ（Ｗｉ：Ｕ−ＩＤ（通信キャリア側で管理するＩＤ）を付加する。このユーザＩＤ（Ｗｉ）は、携帯電話等の端末にあっては画面が小さいので隠し添付する。【選択図】　　　図１
2004005016.tif 000002
【特許請求の範囲】
【請求項１】
互いに携帯電話を用いてコンピュータネットワークに接続された紹介サイトに登録されている商品を紹介して購入させる商品紹介方法であって、
前記紹介サイトは、
前記携帯電話からのアクセスが他の携帯電話に対しての当該サイトの商品紹介のときは、要望の商品と前記携帯電話の電話番号とユーザＩＤとを対応させて当該サイトに登録させる段階と、
前記アクセスがあった前記携帯電話のユーザＩＤが当該サイトに登録されているとき、当該紹介サイトのＵＲＬに前記ユーザＩＤを付加した紹介用ＵＲＬをページに埋め込んで提供する段階と、
前記紹介用ＵＲＬコードを前記携帯電話に提供した後に、該携帯電話とは異なる電話番号の他の携帯電話からアクセスがあって、該他の携帯電話で前記登録している商品提供サイトの商品の購入がなされたかどうかを判定する段階と、
前記紹介用ＵＲＬコードを提供した前記他の携帯電話が前記商品を購入と判定したとき、前記携帯電話のユーザＩＤを有する紹介者数カウンタの値を更新する段階と、
前記紹介者数カウンタの値に応じたポイント数と前記要望の商品の情報と該商品を得るためのポイント数とからなる紹介促進用ページで前記携帯電話に送信する段階と
を有することを特徴とするネットワークを用いた商品紹介方法。
【請求項２】
前記紹介促進用ページのポイント数は、会員紹介する会員が要望するキャラクタであり、該キャラクタの提供はポイント数に応じてキャラクタの一部品で順次提供することを特徴とする請求項１記載のネットワークを用いた商品紹介方法。
【請求項３】
前記携帯電話に対しての紹介用ＵＲＬコードの提供は、当該紹介サイトの商品を購入後に提供することを特徴とする請求項１又は２記載のネットワークを用いた商品紹介方法。
【請求項４】
コンピュータネットワークを用いて互いの携帯電話に対して、商品を紹介させるページを提供する紹介サイトであって、
サーバに、
前記携帯電話からのアクセスが他の携帯電話に対しての当該サイトの商品紹介のときは、要望の商品と前記携帯電話の電話番号とユーザＩＤとを対応させて当該サイトに登録する手段と、
前記アクセスがあった前記携帯電話のユーザＩＤが当該サイトに登録されているとき、当該紹介サイトのＵＲＬに前記ユーザＩＤを付加した紹介用ＵＲＬをページに埋め込んで提供する手段と、
前記紹介用ＵＲＬコードを前記携帯電話に提供した後に、該携帯電話とは異なる電話番号の他の携帯電話からアクセスがあって、該他の携帯電話で前記登録している商品提供サイトの商品の購入がなされたかどうかを判定する手段と、
前記紹介用ＵＲＬコードを提供した前記他の携帯電話が前記商品を購入と判定したとき、前記携帯電話のユーザＩＤを有する紹介者数カウンタの値を更新する手段と、
前記紹介者数カウンタの値に応じたポイント数と前記要望の商品の情報と該商品を得るためのポイント数とからなる紹介促進用ページで前記携帯電話に送信する手段と
を有することを特徴とする商品紹介サイト。
【請求項５】
前記紹介促進用ページのポイント数は、会員紹介する会員が要望するキャラクタであり、該キャラクタの提供はポイント数に応じてキャラクタの一部品で順次提供することを特徴とする請求項４記載の商品紹介サイト。
【請求項６】
前記携帯電話に対しての紹介用ＵＲＬコードの提供は、当該紹介サイトの商品を購入後に提供することを特徴とする請求項４又は５記載の商品紹介サイト。
【発明の詳細な説明】
【０００１】
【発明の属する技術分野】
本発明は、インターネットを用いての商品販売において、携帯電話を用いて会員を増加させることによって商品提供サイトの普及率、商品の販売率を向上させる方法に関する。
【０００２】
【従来の技術】
近年は、インターネットの普及により、端末（携帯電話、パソコン）からインターネットを介して商品サイトにアクセスして、希望の商品を注文できるようになっている。
【０００３】
このようなシステムにおいて、商品サイトＡから商品Ａを購入しているユーザの友人が、同じ商品が欲しくなったときは、商品Ａを購入している会員Ａから商品サイトのＵＲＬコードを聞いて、ユーザが携帯端末、パソコンを操作して商品サイトにアクセスして同じ商品Ａを発注していた。
【０００４】
【発明が解決しようとする課題】
しかしながら、上記の方法は、会員Ａが頻繁に購入している商品Ａを提供する商品サイトのＵＲＬコードを、例えば友達等に知らせて商品Ａを購入させたとしても、会員Ａは商品サイトから何ら利益を受けるわけではない。
【０００５】
つまり、友人の要望によって商品サイトのＵＲＬコードを会員Ａが知らせるだけであるので、商品サイトの宣伝は、ある程度限られた人になる。このため、商品サイトの普及率、商品の販売率が思った以上に伸びないという課題があった。
【０００６】
本発明は前述の課題を鑑みてなされたもので、インターネットを用いての商品販売において、商品サイトの普及率、商品の販売率を非常に向上させる方法を得ることを目的とする。
【０００７】
【課題を解決するための手段】
ネットワークを用いた商品紹介方法は、互いに携帯電話を用いてコンピュータネットワークに接続された紹介サイトに登録されている商品を紹介して購入させる商品紹介方法である。
【０００８】
前記紹介サイトは、前記携帯電話からのアクセスが他の携帯電話に対しての当該サイトの商品紹介のときは、要望の商品と前記携帯電話の電話番号とユーザＩＤとを対応させて当該サイトに登録させる段階と、前記アクセスがあった前記携帯電話のユーザＩＤが当該サイトに登録されているとき、当該紹介サイトのＵＲＬに前記ユーザＩＤを付加した紹介用ＵＲＬをページに埋め込んで提供する段階と、前記紹介用ＵＲＬコードを前記携帯電話に提供した後に、該携帯電話とは異なる電話番号の他の携帯電話からアクセスがあって、該他の携帯電話で前記登録している商品提供サイトの商品の購入がなされたかどうかを判定する段階と、前記紹介用ＵＲＬコードを提供した前記他の携帯電話が前記商品を購入と判定したとき、前記携帯電話のユーザＩＤを有する紹介者数カウンタの値を更新する段階と、前記紹介者数カウンタの値に応じたポイント数と前記要望の商品の情報と該商品を得るためのポイント数とからなる紹介促進用ページで前記携帯電話に送信する段階とを備えたことを要旨とする。
【０００９】
本発明の紹介サイトは、コンピュータネットワークを用いて互いの携帯電話に対して、商品を紹介させるページを提供する紹介サイトである。
【００１０】
サーバに、前記携帯電話からのアクセスが他の携帯電話に対しての当該サイトの商品紹介のときは、要望の商品と前記携帯電話の電話番号とユーザＩＤとを対応させて当該サイトに登録する手段と、前記アクセスがあった前記携帯電話のユーザＩＤが当該サイトに登録されているとき、当該紹介サイトのＵＲＬに前記ユーザＩＤを付加した紹介用ＵＲＬをページに埋め込んで提供する手段と、
前記紹介用ＵＲＬコードを前記携帯電話に提供した後に、該携帯電話とは異なる電話番号の他の携帯電話からアクセスがあって、該他の携帯電話で前記登録している商品提供サイトの商品の購入がなされたかどうかを判定する手段と、前記紹介用ＵＲＬコードを提供した前記他の携帯電話が前記商品を購入と判定したとき、前記携帯電話のユーザＩＤを有する紹介者数カウンタの値を更新する手段と、
前記紹介者数カウンタの値に応じたポイント数と前記要望の商品の情報と該商品を得るためのポイント数とからなる紹介促進用ページで前記携帯電話に送信する手段とを備えたことを要旨とする。
【００１１】
【発明の実施の形態】
＜実施の形態１＞
図１は実施の形態１のネットを用いた商品販売システムの概略構成図である。本実施の形態は、図１に示すように、商品提供サイト１Ａ、１Ｂ、１Ｃ、…と、紹介サイト２と携帯電話４Ａ、Ｂ、Ｃ…をネットワーク３（携帯電話網、インターネット）で接続し、携帯電話４Ａ、Ｂ、Ｃ…を用いて紹介サイト２の会員となる。そして、自分が希望とする自分宛のプレゼント商品を紹介サイト２に登録し、紹介サイト２のＵＲＬを携帯電話を用いて知らせる毎に、紹介サイトが紹介人数を更新し、この紹介人数によってプレゼント商品を紹介した会員に渡す。
【００１２】
前述の携帯電話は、ブラウザ機能とメール機能とインターネット接続機能などを備えている。また、携帯電話は、特定のＯＳやマイクロプロセッサに依存することなく、基本的にはどのようなプラットフォームでも動作するソフトウエアが組み込まれているのが好ましい（例えばＪａｖａ（登録商標））。
【００１３】
このＪａｖａ（登録商標）で記述されたソースコードはＪａｖａ（登録商標）バイトコードと呼ばれる中間形式に一旦変換され、この状態で配布される。実行時にはＪａｖａ（登録商標）仮想マシンと呼ばれるソフトウエアによって、そのプラットフォームが実行可能な形式（ネイティブコード）に変換され、実行される。
【００１４】
また、紹介サイト２は、紹介機能付きｗｅｂサーバ６と、会員ＤＢサーバ７と、商品情報ＤＢサーバ８とを備えている。
【００１５】
紹介機能付きｗｅｂサーバ６は、インターネット接続機能（ＳＳＬ機能を含む）を備えると共に、商品提供部１０と、紹介者用ＵＲＬ作成部１１と、紹介者購入判定部１２と、紹介者カウント部１３等を備えている。
【００１６】
商品提供部１０は、当該サイトへのアクセスがあったとき、商品情報ＤＢサーバ８の商品分野リストをアクセスがあった端末に提供し、選択された分野の詳細リスト（写真、メッセージ、値段等）を提供し、かつ提供した商品が購入されたとき、その購入が他のユーザからの紹介かどうかを紹介者購入判定部１２に知らせる。
【００１７】
紹介者用ＵＲＬ作成部１１は、端末側から紹介でアクセスがあるときは、当該サイトのＵＲＬコードに、その端末側のユーザＩＤ（Ｗｉ：Ｕ−ＩＤ（通信キャリア側で管理するＩＤ）を付加する。このユーザＩＤ（Ｗｉ）は、携帯電話等の端末にあっては画面が小さいので隠し添付するのが好ましい。
【００１８】
紹介者数判定部１２は、商品提供部１０で提供した商品が他のユーザの紹介で購入されたときは、そのユーザのＩＤを紹介者カウント部１３に渡す。
【００１９】
紹介者カウンタ部１３は、購入したときに紹介者のユーザＩＤ（Ｗｉ）が知らせられる毎に、会員ＤＢサーバ７に会員（紹介を行うとする会員）毎に設けられている紹介者数カウンタ（図示せず）を更新する。
【００２０】
ポイント品提供部１４は、紹介でアクセスがあったとき、商品情報ＤＢサーバ８のポイント品の情報（写真、値段、メッセージ）と、紹介を促す表示ボックスとを組み合わせたページを提供する。
【００２１】
前述の表示ボックスは、例えば３個で構成され、会員ＤＢサーバ７の紹介者数カウンタの値を読み、その値に応じて１個、２個、又は３個目のボックスを点滅表示させる。
【００２２】
会員ＤＢサーバ７は、メールアドレス、電話番号、ユーザＩＤ、パスワード、口座番号等からなる登録会員情報と、紹介者のユーザＩＤ（電話番号でもよい）に友人のメールアドレスと友人が興味のある商品等からなる紹介者情報と、会員毎の紹介者数カウンタ値が保存されている。
【００２３】
上記のように構成された商品紹介システムについて以下にシーケンスを用いて説明する。
【００２４】
図２は本実施の形態１の商品販売システムの動作を説明するシーケンス図である。
【００２５】
提供サイト１Ａ、１Ｂ、…は、販売する商品情報を紹介サイト２に定期的（一週間間隔）に送信する（ｄ１、ｄ２）。この商品情報は、商品コードと、商品名と、金額と、納期と、商品の写真画像と詳細メッセージ等からなる。
【００２６】
紹介サイト２の紹介機能付きｗｅｂサーバ６の商品提供部１０は、商品提供サイトＡ、Ｂ、…からの商品情報Ａｉを定期的に受信する毎に、商品情報サーバ８に登録させる（ｄ３、ｄ４）。
【００２７】
そして、ユーザＡが携帯電話Ａ（端末Ａ）を操作して紹介サイト２のＵＲＬコードでアクセスする（ｄ５）。このとき、携帯電話Ａの電話番号、氏名等がアクセス情報として紹介サイト２に送信されるようにしている。
【００２８】
次に、紹介サイト２の紹介機能付きｗｅｂサーバ６の商品提供部１０は、会員ＤＢサーバ７によって登録会員情報Ｂｉ（電話番号、氏名、ユーザＩＤ、口座番号等）を参照して、会員かどうかを認証する（ｄ６）。
【００２９】
紹介サイト２の商品提供部１０は、アクセス情報の電話番号を有する登録会員情報Ｂｉが会員ＤＢサーバ７に未登録の場合は、図２に示すように会員紹介の登録をさせるためのメッセージを携帯電話Ａに送信する（ｄ７）。
【００３０】
次に、図３に示すように、携帯電話Ａにおいては「紹介サイトに入会」、「入会しない」のメニューが表示され（ｄ１０）、入会するとしたメニューが選択されて紹介サイト２に送信される（ｄ１１）。
【００３１】
紹介サイト２の商品提供部１０は、入会するとしたメニュー選択に伴って入会用のフォームを携帯電話Ａに送信する（ｄ１２）。
【００３２】
ユーザＡは、この入会用のフォームに従って、メールアドレス、ユーザＩＤ、パスワード、口座番号等からなる登録会員情報Ｂｉを紹介サイト２に送信する（ｄ１３）。また、通信キャリア側は、携帯電話のＵ−ＩＤを登録会員情報Ｂｉに付加して紹介サイト２に送信している。
【００３３】
紹介サイト２の商品提供部１０は、登録会員情報Ｂｉが会員ＤＢサーバ７によって登録されているかどうかを判定し、登録されていないときは、新規の登録会員情報Ｂｉとして会員ＤＢサーバ７に登録させる（ｄ１４）。
【００３４】
会員ＤＢサーバ７は、登録会員情報Ｂｉの登録に伴って、紹介機能付きｗｅｂサーバ６に登録が正常に行われたことを通知し（ｄ１５）、紹介サイト２の紹介機能付きｗｅｂサーバ６は登録完了を携帯電話Ａに送信する（ｄ１６）。このようにして、紹介サイト２は会員を登録する。
【００３５】
そして、ユーザＡは会員登録を行った後に、紹介サイト２のＵＲＬコードでアクセスする（ｄ１７）。このとき、携帯電話の電話番号、氏名がアクセス情報として送信され、紹介サイト２の紹介機能付きｗｅｂサーバ６は、会員ＤＢサーバ１６の登録会員情報Ｂｉを参照して会員かどうかを認証する（ｄ１８）。
【００３６】
紹介サイト２の紹介機能付きｗｅｂサーバ６の商品提供部１０は、会員のときは（ｄ１９）、「会員紹介」、「商品メニュー」とかなるメニュー画面を携帯電話Ａに提供する（ｄ２０）。
【００３７】
本実施の形態では初めての会員となったときは、商品メニューのボタンキーを送信する。つまり、会員となったときは、必ず商品購入させて使用させた後に、会員紹介ができるようにすることで、紹介する商品の信頼性を向上させている。
【００３８】
次に、商品購入ボタンキーの商品メニューが紹介サイト２に送信されると（ｄ２１）、図４に示すように紹介サイト２は、各商品提供サイト１Ａ、１Ｂ、…から受信した商品情報Ａｉに基づく商品分野リストを商品情報ＤＢサーバ８によって生成させており、この商品分野リストＣｉを携帯電話Ａに送信して表示させる。この商品分野リストＣｉの一例を図５の（ａ）に示している。そして、ユーザは画面の商品分野リストから希望の商品分野を選択して紹介サイト２に送信し、紹介サイト２のｗｅｂサーバ６は選択した商品分野の詳細リスト（写真、値段、金額、お届け予定等）を携帯電話に送信する。前述の詳細リストは商品情報ＤＢサーバ８から読み出して送信している（ｄ２２、ｄ２３、ｄ２４、ｄ２５、ｄ２６）。
【００３９】
このとき、「お試しができる」商品に対しては、お試しボタンが携帯電話４Ａの画面に表示される。
【００４０】
例えば、携帯電話４Ａの画面に、化粧品ａ１が表示され、「お試し」ボタンを押下すると、画面の化粧品ａ１のコードとお試しのコードとが紹介サイト２に送信される（ｄ２７）。紹介サイト２の紹介機能付きｗｅｂサーバ６は、商品購入の選択から現在までのセッションを取っており、化粧品をお試しする会員の会員情報（メールアドレス、電話番号、住所、氏名等）と、お試し購入リスト（図５の（ｂ）を参照）を参照して、１回、試しているどうかを判定している。一回試していると言う判断は、お試しの化粧品ａ１に、お試し購入する会員情報が付加されているときに、１回お試し購入していると判定する。
【００４１】
また、商品提供サイトのお試し購入リストの化粧品ａ１に、お試し購入する会員情報が付加されていない場合は、お試し購入していないと判定する（ｄ２８）。　そして、この判定結果を携帯電話４Ａに送信する（ｄ２９）。紹介サイト２は商品をお試しの購入をしていない会員の場合は、化粧品ａ１とお試し購入コードと、お試しの会員情報とを化粧品ａ１をお試し購入できる商品提供サイトに送信して会員Ａに届ける（ｄ３０）。
【００４２】
一方、紹介サイト２からの商品提供サイト１Ａの化粧品ａ１に対しての購入ボタンが選択されたときは携帯電話４Ａは、購入要求を紹介サイト２に送信する（ｄ３１）。
【００４３】
次に、紹介サイト２は、購入要求を受信すると、会員購入リスト（図５の（ｃ）を参照）を参照して、購入要求があった商品を何度か購入しているかどうかを判定する（ｄ３２）。購入回数が「０」の場合は、商品提供サイト１Ａの規定の値段を携帯端末４Ａに送信する（ｄ３３）。このとき、次回の購入時にはいくら割り引きするかを呈示する。
【００４４】
ユーザＡは画面の値段を見て購入する場合は、決定ボタンを選択する。この決定ボタンの選択で購入決定が紹介サイト２に送信され、会員Ａの化粧品ａ１の購入回数が更新される（ｄ３４、ｄ３５）。
【００４５】
また、会員登録後に携帯電話４Ａからアクセスが紹介サイト２にあり、その会員情報と会員購入リストを参照して何らかの商品を購入していると判定したときは、図６に示すように会員紹介ボタンと商品購入メニューボタンとからなるページを紹介サイト２が端末４Ａに提供する（ｄ３５ａ）。一般には、端末４ＢのユーザＢが紹介サイ２トのＵＲＬを口頭で聞いたときに、会員紹介ボタンを選択する。
【００４６】
そして、会員が会員紹介のボタンを選択したときは携帯電話４Ａは会員紹介を紹介サイト２に送信する（ｄ３６）。
【００４７】
紹介サイト２は、会員紹介するユーザの携帯電話４Ａに対してプレゼントリストを送信する（ｄ３７）。このプレゼントリストは、商品分野別であり、商品分野を選択することによって、紹介サイト２がＤＢサーバ８から詳細情報のページを取り出して送信する（ｄ３８、ｄ３９、ｄ４０）。
【００４８】
本実施の形態では１００００万円相当の鞄が会員紹介によってプレゼントされる商品とする。
【００４９】
前述の詳細情報を携帯電話に提供するとき、紹介サイト２のポイント品提供部１４は会員Ａの会員紹介実績リスト（図７）と、会員Ａの会員プレゼントリストとを参照し、紹介を促進させるための表示ボックスが何個に相当しているかどうかを判断する。本実施の形態では、会員紹介実績リストは紹介者が現在「０」とする。
【００５０】
紹介者数が「０」の場合は、紹介サイト２のポイント品提供部１４は全ての表示ボックスを点灯させないページを携帯電話４Ａに送信する。
【００５１】
次に、ユーザＡが画面に表示されたプレゼント商品で良い場合は、決定ボタンを選択し、携帯電話４Ａは、決定されたプレゼント商品の商品コードを紹介サイト２に送信する（ｄ４１）。
【００５２】
紹介サイト２は、ＤＢサーバ７に、会員コード（ユーザＩＤ）とプレゼント商品名とを対応させた会員プレゼントリスト（図５の（ｄ）を参照）を生成する（ｄ４２）
この会員プレゼントリストの生成後に、図８に示すように紹介サイト２の紹介者用ＵＲＬ作成部１１は、会員情報を参照してＡ氏のユーザＩＤ（Ｗｉ）を紹介サイト２のＵＲＬに付加した紹介用のＵＲＬをページで携帯電話４Ａに送信する。このとき、会員ＡのユーザＩＤはＵＲＬに添付させているが、表示はさせないようにさせている（ｄ４４）。
【００５３】
このように紹介者である会員ＡのユーザＩＤ（Ｗｉ）を表示させないのは、携帯電話の画面は小さいためである。しかし、ＰＤＡ、モバイルパソコン等は画面が大きいのでユーザＩＤは表示させる。すなわち、ユーザの紹介サイトのアクセスによって端末の種類を判定している。
【００５４】
また、ページにはメッセージが書き込まれ、例えば紹介する相手には、「以下のＵＲＬを通知」というメッセージである。
【００５５】
次に、ユーザＡは携帯電話４Ａを操作して携帯端末４Ｂのアドレスを入力して、画面の情報を転送する（ｄ４５）。
【００５６】
一方、携帯電話４Ｂを有するユーザＢは、携帯端末４Ｂを操作して転送された紹介サイト２の紹介用のＵＲＬコードでアクセスする（ｄ４６）。
【００５７】
このアクセスに伴って、紹介サイト２の紹介者数カウント部１３は、ＵＲＬコードにユーザＩＤが隠し添付されているかどうかを判断する（ｄ４７）。
【００５８】
隠しユーザＩＤが添付されていて、そのユーザＩＤがＡ氏の場合は、ＤＢサーバ７にＡ氏の紹介者数カウンタを用意し（ｄ４８）、商品提供部１０が商品分野リストを携帯電話４Ｂに送信して表示させる。ユーザＢは画面の商品分野リストから希望の商品分野を選択して紹介サイト２に送信し、紹介サイト２の商品提供部１０は選択した商品分野の詳細リスト（写真、値段、金額、お届け予定等）を携帯電話Ｂに送信する（ｄ４９、ｄ５０、ｄ５１、ｄ５２、ｄ５３）。
【００５９】
そして、ユーザＢが画面の購入決定を選択したとき、紹介サイト２の紹介者数カウント部１３は図９に示すように、ＤＢサーバ７のＡ氏の紹介者数カウンタを更新する（ｄ５５、ｄ５６、ｄ５７）。
【００６０】
次に、更新した紹介者カウンタの値を紹介者数判定部１２が判定し、このカウンタ値に応じた画面をポイント品提供部１４がメールでＡ氏の携帯電話に送信する（ｄ５９）。
【００６１】
このようにして次々に紹介サイト２のＵＲＬを他の人に携帯で転送させて、紹介サイト２の商品を購入させ、紹介者数を増加させていく。そして、ユーザＡの携帯電話４Ａには図１０に示すような、紹介者数に応じた表示ボックスを表示させる。
【００６２】
＜実施の形態２＞
また、会員登録後に図１１に示すように、会員紹介と商品メニューと試供品紹介とからなるページを携帯端末４Ａに提供し（ｄ６０）、試供品紹介のボタンの選択を携帯端末で送信させる（ｄ６１）。
【００６３】
紹介サイト２は、友人の名前、友人のメールアドレス、友人へのメッセージ等からなる友人への紹介情報を入力させるためのページ（図１３を参照）を携帯電話４Ａに提供する（ｄ６２）。
【００６４】
この友人への紹介情報を携帯電話４Ａは紹介サイトに送信し（ｄ６３）、紹介サイト２はＤＢサーバ７に登録する（ｄ６４）。
【００６５】
そして、紹介サイト２は友人が興味のある商品メニューのページを携帯電話４Ａに提供し、この中から友人が興味があると思われる商品を選択する。本実施の形態では車用品のワックスを選択する（ｄ６５、ｄ６６、ｄ６７）。これらの情報は友人の紹介者情報としてＤＢサーバ７に保存される（ｄ６８）。
【００６６】
次に、紹介サイト２は、図１２に示すように、受信した友人への紹介情報の詳細情報を商品情報サーバか８ら読み込んで、友人宛のメッセージ（例えば使用して見てというメッセージと、紹介した人の氏名）と共に送信する（ｄ６９、ｄ７０）。このとき、友人の紹介ということで、多少金額を割り引いて提供する。
【００６７】
次に、友人がこのワックスを購入したときは（ｄ７１）、紹介サイト２の紹介者数カウント部１３は紹介者数カウンタを更新し（ｄ７２）、図２に示すページを提供する（ｄ７３）。
【００６８】
＜実施の形態３＞
次に紹介サイト２の動作を図１４、図１５、図１６のフローチャートを用いて補充する。
【００６９】
図１４は紹介者数判定部１２の動作を説明するフローチャートである。初めに、端末からのアクセス時のＵＲＬコードに、ユーザＩＤ（Ｗｉ）が付加されているかどうかを判定する（Ｓ１）。
【００７０】
ステップＳ１において、ユーザＩＤ（Ｗｉ）が付加されていると判定したときは、会員からの紹介による紹介サイト２へのアクセスと判定し（Ｓ２）、商品情報のページをその端末（例えば携帯電話４Ｂ）に提供する（Ｓ３）。
【００７１】
次に、ＵＲＬコードに付加されているユーザＩＤを紹介者数カウント部１３に渡す（Ｓ４）。
【００７２】
一方、紹介者カウント部１３は、ユーザＩＤ（Ｗｉ）を有する会員紹介実績リストＨｉがＤＢサーバ７に存在するかどうかを判定し（Ｓ６）、存在する場合は、その会員紹介実績リストＨｉのカウント値Ｈｉに「１」を加算する（Ｓ７）。
【００７３】
また、ステップＳ６において、紹介者数判定部１２から渡されたユーザＩＤ（Ｗｉ）を有する会員紹介実績リストＨｉが存在しないと判定したときには、新規に会員紹介実績リストＨｉを生成させる（Ｓ８）。
【００７４】
次に、ポイント品提供部の処理を図１５のフローチャートを用いて説明する。ポイント品提供部１４は、ＵＲＬコードに付加されているユーザＩＤ（Ｗｉ）を読み（Ｓ１０）、このユーザＩＤ（Ｗｉ）に対応する会員プレゼントリストＰｉを読む（Ｓ１１）。
【００７５】
そして、ユーザＩＤ（Ｗｉ）を有する会員紹介実績リストＨｉのカウント値ｈｉが会員プレゼントリストＰｉの必要紹介数ｇｉに一致かどうかを判定する（Ｓ１２）。ステップＳ１２で一致してはいないと判定したときは、実績リストのカウント値ｈｉは表示ボックスが何個分になるかを判定し（Ｓ１３）、判定個数分のボックスを点滅表示させたページを送信させる（Ｓ１４）。
【００７６】
また、ステップＳ１２において会員紹介実績リストＨｉのカウント値ｈｉが会員プレゼントリストＰｉの必要紹介数ｇｉに一致と判定したときは、全ての表示ボックスを点灯させるページを送信する（Ｓ１５）。
【００７７】
さらに、本実施の形態は各提供サイトに対して課金を行う処理を有している。図１６は課金処理を説明するフローチャートである。
【００７８】
課金処理は全ての会員紹介実績リストのカウント値ｈｉを読み（Ｓ２０）、総紹介者数Ｋｉを求める（Ｓ２１）。
【００７９】
次に、この総紹介者数Ｋｉを商品提供サイトの数で割った値Ｄｉを求める（Ｓ２２）。次に、それぞれの提供サイトに対しての実際の紹介者数ｄｉを紹介実績リストから読む（Ｓ２３）。
【００８０】
次に、Ｄｉから各提供サイトの実際の紹介者数ｄｉを減算し、その減算値を提供サイトの料金Ｌｉとして（Ｓ２４）、該当提供サイトに割り当てる（Ｓ２５）。
【００８１】
なお、上記実施の形態では紹介者数を増加促進させるためのキャラクタとして３個の表示ボックスを例にしたが、予め会員からすきな動物等の分野を登録させ、会員紹介実績リストのカウント値ｈｉに応じて紹介サイトの独自のキャラクタを提供させてもよい。図１７は、動物の分野が魚として登録した場合に、一人の紹介で尻尾、二人の紹介で胴体、３人の紹介で頭としている。
【００８２】
このように紹介数（カウント値ｈｉ）に応じてキャラクタの一部づつを提供して行くと、最終的にどのようなキャラクタになるかは分からないので、会員はキャラクタを完成するために会員を紹介することなる。
【００８３】
＜実施の形態４＞
図１８は実施形態４を説明するシーケンス図である。端末Ｂに対して紹介サイト２が会員ＡのＩＤを付加した紹介サイトＵＲＬを送信した後に、端末Ｂに商品メニューを送信し（ｄ４９）、このメニューから商品分野が選択されると（ｄ５０）、紹介サイト２はゲームのファイル（例えばビンゴゲーム）を送信する（ｄ８０）。
【００８４】
このビンゴゲームは、例えば携帯電話を操作してゲームをスタートさせてストップさせると、同じものが３個揃うと購入した商品を３０％割引、２個揃うと１０％割引、１個も揃わない場合は０％であることをメッセージで知らせる。
【００８５】
そして、端末Ｂのユーザはゲームをスタートさせてストップさせると、そのストップ時のゲームの結果（例えば３個揃った）を紹介サイト２に送信する（ｄ８１）。
【００８６】
紹介サイト２の会員紹介サーバ６は、受信したゲーム結果とＵ−ＩＤとを対応させてデータベースに保存する（ｄ８２）。
【００８７】
次に、会員紹介サーバ６は、端末Ｂのユーザが選択した分野の商品情報（商品リスト、写真、値段等）を端末Ｂに送信する（ｄ８３）。
【００８８】
端末Ｂのユーザは、端末Ｂの画面に表示された商品情報から希望の商品（例えば２０００円の帽子）を選択する（ｄ８４）。
【００８９】
会員紹介サーバ６は、希望の商品を受信すると、端末ＢのＵ−ＩＤに対応する割引率（３０％）を読み、選択された商品（帽子）の値段を３０％割引した商品映像を端末Ｂに送信する（ｄ８５）。
【００９０】
そして、端末Ｂのユーザが購入決定すると（ｄ５６）、紹介サイト２の紹介者数カウント部１３は図９に示すように、ＤＢサーバ７のＡ氏の紹介者数カウンタを更新する。
【００９１】
つまり、ゲームを実行させて、そのゲーム結果に基づく割引率で商品を販売するようにする。このため、ゲーム自体が商品購買に役立つことになる。
【００９２】
【発明の効果】
以上のように本発明によれば、ユーザＡが携帯電話を用いて紹介サイトに会員登録して紹介サイトの商品を購入した後に、他のユーザＢに商品を携帯電話で紹介する場合は、紹介サイトからのユーザＡのユーザＩＤが付加された紹介用ＵＲＬコードを転送する。
【００９３】
そして、ユーザＢが携帯電話で紹介サイトの商品を購入したときは、ユーザＡのＩＤを有する紹介者数カウンタの値を更新し、この紹介者数カウンタの値に応じたポイント数とユーザＡの要望の商品の情報と該商品を得るためのポイント数とからなる紹介促進用ページをユーザＡの携帯電話に送信する。
【００９４】
このため、会員となったユーザは、商品を購入する会員を紹介サイトに紹介する意欲を増加させることになり、結果として紹介サイトの商品の購買が向上するという効果が得られている。
【図面の簡単な説明】
【図１】実施の形態１のネットを用いた商品販売システムの概略構成図である。
【図２】本実施の形態１のシーケンス図である。
【図３】本実施の形態１のシーケンス図である。
【図４】本実施の形態１のシーケンス図である。
【図５】本実施の形態１の携帯電話の画面例と紹介サイトのリストを説明する説明図である。
【図６】本実施の形態１のシーケンス図である。
【図７】会員紹介実績リストの説明図である。
【図８】本実施の形態１のシーケンス図である。
【図９】本実施の形態１のシーケンス図である。
【図１０】端末の画面例を説明する説明図である。
【図１１】実施の形態２のシーケンス図である。
【図１２】実施の形態２のシーケンス図である。
【図１３】端末の画面を説明する説明図である。
【図１４】紹介サイトの動作を説明するフローチャートである。
【図１５】紹介サイトの動作を説明するフローチャートである。
【図１６】紹介サイトの動作を説明するフローチャートである。
【図１７】実施の形態３の携帯電話の画面例を説明する説明図である。
【図１８】実施の形態４のシーケンス図である。
【符号の説明】
１Ａ　商品提供サイト
２　紹介サイト
３　ネットワーク
４Ａ　携帯電話
６　紹介機能付きｗｅｂサーバ
１０　商品提供部
１１　紹介者用ＵＲＬ作成部
１２　紹介者購入判定部
１３　紹介者カウント部
【図１】
2004005016.tif 000003
【図２】
2004005016.tif 000004
【図３】
2004005016.tif 000005
【図４】
2004005016.tif 000006
【図５】
2004005016.tif 000007
【図６】
2004005016.tif 000008
【図７】
2004005016.tif 000009
【図８】
2004005016.tif 000010
【図９】
2004005016.tif 000011
【図１０】
2004005016.tif 000012
【図１１】
2004005016.tif 000013
【図１２】
2004005016.tif 000014
【図１３】
2004005016.tif 000015
【図１４】
2004005016.tif 000016
【図１５】
2004005016.tif 000017
【図１６】
2004005016.tif 000018
【図１７】
2004005016.tif 000019
【図１８】
2004005016.tif 000020